【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
第１フレームと、
乳母車の展開状態、折り畳み途中状態、および折り畳み状態の各状態において、前記第１フレームとの相対位置関係が変化する第２フレームと、
乳母車の展開状態において背面押し位置および対面押し位置に選択的に切り換え可能な押し棒と、
前記第１フレームに移動可能に取り付けられて、前記押し棒の所定部分が背面押し位置および対面押し位置間で移動する移動経路上の第１位置と、前記移動経路から離隔した第２位置との間を移動可能な遮断部材と、
前記相対位置関係に応動して、乳母車の展開状態において前記遮断部材を第２位置に維持し、乳母車の折り畳み途中状態および折り畳み状態において前記遮断部材を第１位置に維持する位置調整手段とを備え、
前記第１位置にされた遮断部材によって前記押し棒は切り換え不能にされることを特徴とする、折り畳み式乳母車。
【請求項２】
前記第１フレームは、背面押し位置にされた前記押し棒と略平行な位置関係である、請求項１に記載の折り畳み式乳母車。
【請求項３】
前記第２フレームは、前記第１フレームと連結軸を介して連結するアームレストであり、前記アームレストと前記第１フレームとの角度が、前記展開状態で第１角度にされ、前記折り畳み途中状態および前記折り畳み状態で前記第１角度と異なる角度にされる、請求項２に記載の折り畳み式乳母車。
【請求項４】
前記第２フレームは、下端に車輪を有し上下方向に延びる後脚であり、前記後脚は前記展開状態で前記第１フレームに相対的に近い位置にされ、前記折り畳み途中状態および折り畳み状態で相対的に遠い位置にされる、請求項２に記載の折り畳み式乳母車。
【請求項５】
前記第２フレームは、前記第１フレームと連結軸を介して連結する回動ブラケットであり、前記回動ブラケットと前記第１フレームとの角度が、前記展開状態で第１角度にされ、前記折り畳み途中状態および前記折り畳み状態で前記第１角度と異なる角度にされる、請求項２に記載の折り畳み式乳母車。
【請求項６】
前記第２フレームは、前記第１フレームと連結軸を介して連結する前後方向部材であり、前記前後方向部材と前記第１フレームとの角度が、前記展開状態で第１角度にされ、前記折り畳み途中状態および前記折り畳み状態で前記第１角度と異なる角度にされる、請求項２に記載の折り畳み式乳母車。
【請求項７】
前記位置調整手段は、前記遮断部材を前記第１位置に付勢する弾性部材と、
前記展開状態で前記第１フレームに当接して前記遮断部材を前記第２位置に押し込み、前記折り畳み途中状態および前記折り畳み状態で前記第１フレームから離隔する当接部材とを含む、請求項１〜６のいずれかに記載の折り畳み式乳母車。
【請求項８】
前記第１位置は、背面押し位置にされた押し棒の所定部分と隣り合う位置である、請求項１〜７のいずれかに記載の折り畳み式乳母車。
【請求項９】
前記所定部分および前記遮断部材のいずれか一方は突起であり、残る他方は１対の側壁部であり、前記第１位置で前記突起を１対の側壁部の間に受け入れる、請求項１〜８のいずれかに記載の折り畳み式乳母車。
【手続補正２】
【補正対象書類名】明細書
【補正対象項目名】０００８
【補正方法】変更
【補正の内容】
【０００８】
この目的のため本発明による折り畳み式乳母車は、第１フレームと、乳母車の展開状態、折り畳み途中状態、および折り畳み状態の各状態において第１フレームとの相対位置関係が変化する第２フレームと、乳母車の展開状態において背面押し位置および対面押し位置に選択的に切り換え可能な押し棒とを備える。そして、第１フレームに移動可能に取り付けられて、押し棒の所定部分が背面押し位置および対面押し位置間で移動する移動経路上の第１位置と、移動経路から離隔した第２位置との間を移動可能な遮断部材と、第１および第２フレームの相対位置関係に応動して、乳母車の展開状態において遮断部材を第２位置に維持し、乳母車の折り畳み途中状態および折り畳み状態において遮断部材を第１位置に維持する位置調整手段とをさらに備え、第１位置にされた遮断部材によって押し棒は切り換え不能にされることを特徴とする。
【手続補正３】
【補正対象書類名】明細書
【補正対象項目名】００１９
【補正方法】変更
【補正の内容】
【００１９】
【図１】本発明の一実施形態になる折り畳み式乳母車を示す斜視図である。
【図２】図１の折り畳み式乳母車を示す側面図であって、押し棒が背面押し位置にされた様子を表す。
【図３】図１の折り畳み式乳母車を示す側面図であって、押し棒が対面押し位置にされた様子を表す。
【図４】図１の折り畳み式乳母車の折り畳み途中状態を示す側面図である。
【図５】図１の折り畳み式乳母車の折り畳み状態を示す側面図である。
【図６】展開状態におけるアームレスト、アームレスト支持部材、および押し棒を示す斜視図である。
【図７】図６のアームレストおよびアームレスト支持部材を取り出して示す側面図である。
【図８】図６のアームレスト支持部材、押し棒、および押し棒の通り抜け防止構造を示す断面図である。
【図９】展開状態における遮断部材および位置調整手段を幅方向外側からみた図である。
【図１０】図９に対応する遮断部材および位置整手段を幅方向内側からみた図である。
【図１１】遮断部材の正面図および側面図である。
【図１２】折り畳み途中状態および折り畳み状態における遮断部材および位置調整手段を幅方向外側からみた図である。
【図１３】図１２に対応する遮断部材および位置調整手段を幅方向内側からみた図である。
【図１４】折り畳み途中状態におけるアームレスト、アームレスト支持部材、および押し棒を拡大して示す斜視図である。
【図１５】本発明の他の実施形態になる折り畳み式乳母車を示す線図であって、押し棒が背面押し位置にされた様子を表す。
【図１６】図１５の遮断部材および位置調整手段を拡大して示す線図である。
【図１７】図１５の折り畳み式乳母車を示す線図であって、押し棒が対面押し位置にされた様子を表す。
【図１８】図１７の遮断部材および位置調整手段を拡大して示す線図である。
【図１９】図１５の折り畳み式乳母車の折り畳み途中状態を示す線図である。
【図２０】図１５の折り畳み式乳母車の折り畳み状態を示す線図である。
【図２１】図１８および図１９の遮断部材および位置調整手段を拡大して示す線図である。
【図２２】押し棒の通り抜けを防止する構造の変形例を示す線図であって、押し棒が対面押し位置にされた様子を表す。
【図２３】図２２の構造において押し棒が背面押し位置にされた様子を示す線図である。
【図２４】図２２の構造において遮断部材が第１位置にされた様子を示す線図である。
【図２５】本発明のさらに他の実施形態になる折り畳み式乳母車を示す線図であって、押し棒が背面押し位置にされた様子を表す。
【図２６】図２５の遮断部材および位置調整手段を拡大して示す線図である。
【図２７】図２５の折り畳み式乳母車を示す線図であって、押し棒が対面押し位置にされた様子を表す。
【図２８】図２７の遮断部材および位置調整手段を拡大して示す線図である。
【図２９】図２５の折り畳み式乳母車の折り畳み途中状態を示す線図である。
【図３０】図２９の遮断部材および位置調整手段を拡大して示す線図である。
【図３１】図２５の折り畳み式乳母車の折り畳み状態を示す線図である。
【図３２】図３１の遮断部材および位置調整手段を拡大して示す線図である。
【図３３】本発明の別の実施形態になる折り畳み式乳母車を示す線図であって、押し棒が背面押し位置にされた様子を表す。
【図３４】図３３の遮断部材および位置調整手段を拡大して示す線図である。
【図３５】図３３の折り畳み式乳母車を示す線図であって、押し棒が対面押し位置にされた様子を表す。
【図３６】図３５の遮断部材および位置調整手段を拡大して示す線図である。
【図３７】図３３の折り畳み式乳母車の折り畳み途中状態を示す線図である。
【図３８】図３７の遮断部材および位置調整手段を拡大して示す線図である。
【図３９】図３３の折り畳み式乳母車の折り畳み状態を示す線図である。
【図４０】図３９の遮断部材および位置調整手段を拡大して示す線図である。
【図４１】本発明の遮断部材の動きおよび押し棒の移動経路を示す線図である。
【図４２】本発明の変形例になる遮断部材の動きおよび押し棒の移動経路を示す線図である。
【手続補正４】
【補正対象書類名】明細書
【補正対象項目名】００３５
【補正方法】変更
【補正の内容】
【００３５】
図９は展開状態における遮断部材および位置調整手段を幅方向外側からみた図である。図１０は、図９に対応する遮断部材および位置調整手段を幅方向内側からみた図である。図１１の左側は遮断部材の正面図であり、折り畳み式乳母車の前方からみた様子を表す。図１１の右側は遮断部材の側面図であり、折り畳み式乳母車の幅方向外側からみた様子を表す。図１２は折り畳み途中状態および折り畳み状態における遮断部材および位置調整手段を幅方向外側からみた図である。図１３は、図１２に対応する遮断部材および位置調整手段を幅方向内側からみた図である。図９〜図１３は押し棒３４が車体フレームを通り抜けることを防止する構造を表す。
【手続補正５】
【補正対象書類名】明細書
【補正対象項目名】００３７
【補正方法】変更
【補正の内容】
【００３７】
遮断部材４１はカバー４２に収容されて、アームレスト支持フレーム２２の中心線２２ｘの延在方向に案内される。図１１に示すように遮断部材４１はＬ字状であり、上下方向に延びるとともにシャッター４１ｓが幅方向外側に突出する。カバー４２の内部には、図１０および図１３に示すように遮断部材４１を上方へ付勢するＶ字状の弾性部材４３が設けられている。弾性部材４３の一方端はカバー４２の内側面に係合し、弾性部材４３の他方端は遮断部材４１から突出した突起部分４１ｔに係合する。遮断部材４１の上端部４１ｐはカバー４２の上端に形成された切欠き４２ｈに差し込まれて切欠き４２ｈから上方へ突出する。そして上端部４１ｐは当接部材としてアームレスト２０の下面と当接する。このため遮断部材４１は弾性部材４３の付勢力に抗して下方に押し下げられて、展開状態にあっては第２位置にされる。
【手続補正６】
【補正対象書類名】明細書
【補正対象項目名】００３８
【補正方法】変更
【補正の内容】
【００３８】
これに対し折り畳み式乳母車の車体フレームが折り畳みを開始して、連結軸２３回りのアームレスト２０とアームレスト支持フレーム２２の角度が広がると、アームレスト２０は上端部４１ｐから離れて、弾性部材４３が遮断部材４１を上方に変位させる。これによりシャッター４１ｓは移動経路Ｂ上の第１位置にされる（図１２、図１３）。第１位置にされたシャッター４１ｓは押し棒３４の突起部３４ｐと隣り合う。このため、図１４の斜視図に示すように、折り畳み途中状態で押し棒３４が回動しようとしても突起部３４ｐがシャッター４１ｓに当接して、押し棒３４は回動を規制される。
【手続補正７】
【補正対象書類名】明細書
【補正対象項目名】００３９
【補正方法】変更
【補正の内容】
【００３９】
引き続き車体フレームが折り畳まれて、連結軸２３回りのアームレスト２０とアームレスト支持フレーム２２の角度がさらに広がると、車体フレームは完全な折り畳み状態にされる。折り畳み状態では、折り畳み途中状態と同様に、遮断部材４１のシャッター４１ｓは移動経路Ｂ上の第１位置にされる（図１２、図１３）。そして図１４の斜視図と同様に、折り畳み状態でシャッター４１ｓは押し棒３４の突起部３４ｐと当接して、押し棒３４は回動を規制される。弾性部材４３および上端部４１ｐは、遮断部材４１の位置を調整する位置調整手段として機能する。
【手続補正８】
【補正対象書類名】明細書
【補正対象項目名】００４６
【補正方法】変更
【補正の内容】
【００４６】
図１７は、図１５の折り畳み式乳母車を示す線図であって、押し棒が対面押し位置にされた様子を表す。図１８は、図１７の遮断部材および位置調整手段を拡大して示す線図である。展開状態においてシャッター４１ｓは第２位置に維持されているため、突起部３４ｐはシャッター４１ｓと干渉せず、押し棒３４は背面押し位置から対面押し位置へ、あるいはその逆に切り換え可能である。
【手続補正９】
【補正対象書類名】明細書
【補正対象項目名】００５１
【補正方法】変更
【補正の内容】
【００５１】
図２２および図２３の変形例も前述した図１６および図１８と同様に、乳母車の展開状態において遮断部材４１の下端が後脚と当接して上方へ押し上げられ、シャッター４１ｓは上方の第２位置に維持される。これにより押し棒３４は、図２２に示す対面押し位置と、図２３に示す背面押し位置とに切り換わることができる。
【手続補正１０】
【補正対象書類名】明細書
【補正対象項目名】００５４
【補正方法】変更
【補正の内容】
【００５４】
本発明のさらに他の実施形態では、第１フレームをアームレスト支持フレーム２２とし、第２フレームを反転ブラケット２８とする。反転ブラケット２８とアームレスト支持フレーム２２とは連結軸２９を介して回動可能に連結され、反転ブラケット２８とアームレスト支持フレーム２２との角度は折り畳み操作によって変化する。また、反転ブラケット２８とアームレスト支持フレーム２２との連結軸２９は、アームレスト支持フレーム２２と押し棒３４との枢軸３３と、同軸に配置される。
【手続補正１１】
【補正対象書類名】明細書
【補正対象項目名】００５５
【補正方法】変更
【補正の内容】
【００５５】
図２５〜図２８に示す展開状態で、アームレスト支持フレーム２２と反転ブラケット２８との角度は第１角度にされる。また、連結軸２９よりも上方に位置する反転ブラケット２８の上端２８ｔは遮断部材４１の下端と当接し、これにより遮断部材４１は上側の第１位置にされる。この展開状態で、押し棒３４に取付固定された突起部３４ｐは、遮断部材４１のシャッター４１ｓと係合しない。
【手続補正１２】
【補正対象書類名】明細書
【補正対象項目名】００５６
【補正方法】変更
【補正の内容】
【００５６】
図２９および図３０に示す折り畳み途中状態で、反転ブラケット２８は連結軸２９回りに回動して上端２８ｔが後方移動する。そうすると上端２８ｔは遮断部材４１から離れ、遮断部材４１は弾性部材４３によって下側の第２位置にされる。遮断部材４１のシャッター４１ｓは第２位置で、背面押し位置にされた押し棒３４の突起部３４ｐと係合する。これにより押し棒３４は切り換え不能にされる。
【手続補正１３】
【補正対象書類名】明細書
【補正対象項目名】００５７
【補正方法】変更
【補正の内容】
【００５７】
図３１および図３２に示す折り畳み状態においても折り畳み途中状態と同様である。すなわち反転ブラケット２８は引き続き回動し、上端２８ｔは連結軸２９よりも下方にされて遮断部材４１から遠ざかる。
【手続補正１４】
【補正対象書類名】明細書
【補正対象項目名】００５９
【補正方法】変更
【補正の内容】
【００５９】
本発明の別の実施形態では、第１フレームをアームレスト支持フレーム２２とし、第２フレームを前後方向部材１８とする。反転ブラケット２８とアームレスト支持フレーム２２とは連結軸２９を介して回動可能に連結される。さらに連結軸２９を介して、前後方向部材１８の後端部を回動可能に連結する。これにより前後方向部材１８とアームレスト支持フレーム２２との角度は折り畳み操作によって変化する。また連結軸２９は、アームレスト支持フレーム２２と押し棒３４との枢軸３３と、同軸に配置される。